(57)【要約】【課題】  篩い部材の構造を工夫することによって選別効率の高い脱穀装置の選別部構造を実現する。【解決手段】  グレンパン６とチャフシーブ７とを備え、グレンパン６の終端部に向って選別風を供給する回転ファン１４を備えてある脱穀装置１の選別部構造において、グレンパン６の終端部に篩い部材１５を備えて、この篩い部材１５をグレンパン６の終端部から処理物の搬送下手側に向って片持ち状に延出するとともに、篩い部材１５を弾性部材で構成する。【選択図】図２
2008043264.tif 000002
【特許請求の範囲】
【請求項１】
扱室の下方に揺動選別装置を備え、前記揺動選別装置に、前記扱室から落下供給される処理物を受け止めて搬送しながら選別処理するグレンパンと、前記グレンパンから処理物を受け継いで搬送しながら選別処理するチャフシーブとを備え、前記グレンパンの終端部に向って選別風を供給する回転ファンを備えてある脱穀装置の選別部構造であって、
前記グレンパンの終端部に篩い部材を備えて、
前記篩い部材を前記グレンパンの終端部から処理物の搬送下手側に向って片持ち状に延出し、前記篩い部材を弾性部材で構成してある脱穀装置の選別部構造。
【請求項２】
前記篩い部材に、処理物の搬送下手側上方に向って延出した傾斜部を備えてある請求項１記載の脱穀装置の選別部構造。
【発明の詳細な説明】
【技術分野】
【０００１】
本発明は、グレンパンの終端部に向って選別風を供給する回転ファンを備えてある脱穀装置の選別部構造に関する。
【背景技術】
【０００２】
従来の技術としては、例えば、特許文献１に開示されているように、グレンパンの終端部に篩い部材の一例である篩い線を設けて、穀粒と藁屑の分離を促進して、穀粒と藁屑の選別効率の向上を図るように構成された脱穀装置の選別部構造や、特許文献２に開示されているように、グレンパンの終端部に設けた篩い部材の一例である篩い線を上下に揺動させることによって、穀粒と藁屑の分離を促進して、穀粒と藁屑の選別効率の向上を図るように構成された脱穀装置の選別部構造が知られている。
【０００３】
【特許文献１】特開平１１−２２５５６０号公報
【特許文献２】特開２０００−２０１５２４号公報（図４及び図６）
【発明の開示】
【発明が解決しようとする課題】
【０００４】
特許文献１に開示されているように、グレンパンの終端部に篩い線を設けて、この篩い線によってグレンパンからチャフシーブに落下する処理物の塊を解し、又は、処理物を上方に跳ね上げて、穀粒と藁屑の分離を促進することができると考えられる。また、特許文献２に開示されているように、グレンパンの終端部に設けた篩い線を上下に揺動させると、篩い線を固定した場合に比べて、処理物の塊を効率的に解すことができ、又は、処理物を上方に高く跳ね上げることができて、穀粒と藁屑の分離を更に促進することができると考えられる。
【０００５】
しかし、特許文献２に記載の篩い線のように、アームやローラーを用いて揺動選別装置と篩い線を連動させることによって篩い線を上下に揺動させると、ローラーが揺動選別装置の揺動に対して規則的に前後に動いて、篩い線が一定の速さで揺動する。そのため、例えば、処理物の量が増減した場合には、篩い線による選別効率に差異が生じていたものと考えられる。従って、篩い線を早く不規則に揺動させることができれば、処理物の塊を更に効率的に解すことができ、処理物を更に上方に高く跳ね上げることができて、選別効率の向上させることができると考えられる。
本発明は、篩い部材の構造を工夫することによって選別効率の高い脱穀装置の選別部構造を実現することを目的としている。
【課題を解決するための手段】
【０００６】
［Ｉ］
（構成）
本発明の第１特徴は、扱室の下方に揺動選別装置を備え、前記揺動選別装置に、前記扱室から落下供給される処理物を受け止めて搬送しながら選別処理するグレンパンと、前記グレンパンから処理物を受け継いで搬送しながら選別処理するチャフシーブとを備え、前記グレンパンの終端部に向って選別風を供給する回転ファンを備えてある脱穀装置の選別部構造において、次のように構成することにある。
前記グレンパンの終端部に篩い部材を備えて、
前記篩い部材を前記グレンパンの終端部から処理物の搬送下手側に向って片持ち状に延出し、前記篩い部材を弾性部材で構成してある。
【０００７】
（作用）
本発明の第１特徴によると、グレンパンの終端部に篩い部材を備えることにより、揺動選別装置が揺動して、グレンパンの終端部に処理物が供給されると、その処理物が篩い部材に当たる。処理物が篩い部材に当たると、処理物の塊を解すことができ、又、処理物を上方へ跳ね上げることができて、穀粒と藁屑の分離を促進することができる。
【０００８】
本発明の第１特徴によると、篩い部材をグレンパンの終端部から処理物の搬送下手側に向って片持ち状に延出し、この篩い部材を弾性部材で構成することにより、揺動選別装置が揺動すると、処理物の搬送下手側に向って片持ち状に延出した篩い部材は、グレンパンの終端部を支点として、弾性部材で構成した篩い部材そのものの弾性変形によって上下に揺動する。そうすると、揺動選別装置の揺動に加えて、篩い部材そのものの弾性変形による復元力が篩い部材に働いて、篩い部材を早くかつ不規則に揺動させることができる。
【０００９】
本発明の第１特徴によると、篩い部材をグレンパンの終端部から処理物の搬送下手側に向って片持ち状に延出し、この篩い部材を弾性部材で構成することにより、例えば、特許文献２に記載の篩い線のように、アームやローラー等を用いて揺動させる構造が不要になる。
【００１０】
（発明の効果）
本発明の第１特徴によると、穀粒と藁屑の分離を促進することができるため、回転ファンからグレンパンの終端部に向って選別風が供給されると、自重の重い穀粒は落下し、自重の軽い藁屑はこの選別風に乗って処理物の搬送下手側に供給される。そのため、穀粒と藁屑を選別することができる。
【００１１】
本発明の第１特徴によると、篩い部材を早く不規則に揺動させることができるため、処理物の塊を効率的に解すことができ、処理物を上方に高く跳ね上げることができると考えられる。そのため、穀粒と藁屑の分離を更に促進することができて、穀粒と藁屑の選別効率を向上させることができると考えられる。
【００１２】
本発明の第１特徴によると、アームやローラー等を用いて揺動させる構造が不要になるため、篩い部材を揺動させる構造を簡素に実現することができる。そのため、部品点数が少なくなって製造コストを削減することができる。
【００１３】
［ＩＩ］
（構成）
本発明の第２特徴は、本発明の第１特徴の脱穀装置の選別部構造において、次のように構成することにある。
前記篩い部材に、処理物の搬送下手側上方に向って延出した傾斜部を備えてある。
【００１４】
（作用）
本発明の第２特徴によると、本発明の第１特徴と同様に前項［Ｉ］に記載の「作用」を備えており、これに加えて以下のような「作用」を備えている。
本発明の第２特徴によれば、篩い部材に、処理物の搬送下手側上方に向って延出した傾斜部を備えることにより、揺動選別装置が揺動して、グレンパンの終端部に処理物が供給されて、その処理物が篩い部材に当たると、その処理物が篩い部材の傾斜部によって、搬送上手側に向って跳ね上げられる。すなわち、跳ね上げた処理物に、上下方向だけでなく、搬送方向の変化を加えることができる。そのため、篩い部材の傾斜部によって、穀粒と藁屑を多く拡散させることができると考えられる。
【００１５】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、篩い部材の傾斜部によって、穀粒と藁屑を多く拡散させることができると考えられるため、穀粒と藁屑の分離を更に促進することができて、穀粒と藁屑の選別効率を向上させることができると考えられる。
【発明を実施するための最良の形態】
【００１６】
図１に、コンバインに搭載された脱穀装置１を示す。なお、この発明を実施するための最良の形態においては、脱穀装置１をコンバインに搭載した例を示すため、図１における左方が処理物の搬送上手側に相当し、図１における右方が処理物の搬送下手側に相当し、図１における手前側がフィードチェーン２側に相当する（図２及び図３においても同様）。以下の説明においては、処理物の搬送上手側を前方と、処理物の搬送下手側を後方と表示する。
【００１７】
図１に示すように、脱穀装置１は、その上部側に扱室Ａ、中間部側に揺動選別装置Ｂ、下部側に回収装置Ｃを配設している。脱穀装置１には、刈取処理された穀稈をフィードチェーン２で挟持搬送しながら扱き処理する扱胴３を扱室Ａに軸架するとともに、扱き処理された処理物を漏下させる受網５を扱胴３の下方側に配設している。
【００１８】
揺動選別装置Ｂには、受網５から漏下した処理物を受け止めるグレンパン６と、このグレンパン６の後方に順に位置させたチャフシーブ７及びストローラック８と、チャフシーブ７の下方に位置するグレンシーブ９とを備え、前後揺動駆動されるシーブケース１６に架設されている。
【００１９】
回収装置Ｃには、グレンパン６の下方側に位置する唐箕１０と、グレンシーブ９の下方にグレンシーブ９からの漏化物（一番物）を回収して横一側に横送りする一番物搬送スクリュ１１を配設するとともに、グレンシーブ９やチャフシーブ７等からの漏化物（二番物）を回収して横一側に横送りする二番物搬送スクリュ１２と、一番物搬送スクリュ１１と二番物搬送スクリュ１２の間に位置し二番物搬送スクリュ１２の上方に向って選別風を供給する選別ファン１３が配設されている。
【００２０】
揺動選別装置Ｂの前部下方で、前記唐箕１０の前方には、回転ファン１４を備え、上側ファンケース１８と下側ファンケース１９に案内されてグレンパン６の終端部に設けた篩い部材１５に向って選別風を供給するように構成されている。また、扱胴３の後方下方に回転胴１７を備え、扱胴３の後端部から排出される処理物をこの回転胴１７によって解し処理し、塵埃から穀粒を取り出すように構成されており、この回転胴１７の後方には藁屑を機外に排出する排塵ファン４が配設されている。
【００２１】
図２及び図３に示すように、グレンパン６の終端部には、このグレンパン６の終端部から後方に向って延出された篩い部材１５が片持ち状に支持されている。篩い部材１５は、グレンパン６の終端部に着脱可能に固定された水平部１５ａと、この水平部１５ａの後端部から斜め後方上方に向って延出された傾斜部１５ｂとによって構成されている。図３に示すように、傾斜部１５ｂに、後方に向って開口した複数の凹部１５ｃを全面に亘って形成することにより、傾斜部１５ｂが平面視で所定の横幅を備えた平面板状（短冊状）になるように構成されている。このように、傾斜部１５ｂが短冊状になるように構成することによって、処理物が篩い部材１５に当たる面積を広く確保することができるため、処理物を多く跳ね上げることができて、処理物を多く拡散することができる。
【００２２】
篩い部材１５は、板厚の薄いバネ鋼板を上述した形状に折り曲げ成形することよって構成されており、この篩い部材１５の板厚は、揺動選別装置Ｂが揺動すると、このバネ鋼板で構成した篩い部材１５の短冊状に構成した傾斜部１５ｂが弾性変形して、揺動選別装置Ｂの動きに対して早くかつ不規則に、その弾性変形による復元力によって上下に揺動するように構成されている。このように、篩い部材１５をバネ鋼板によって構成することにより、例えば、特許文献２に記載の篩い線（２８）のように、アーム（５１）やローラー（５０）を用いて揺動選別盤（２５）と篩い線（２８）を連動させるように構成する場合に比べ（（）内は特許文献２中の部品番号）、篩い部材１５を揺動させる構造を簡素に実現できる。そのため、部品点数が少なくなって製造コストを削減することができる。
【００２３】
図２に扱き処理された処理物がグレンパン６からチャフシーブ７に向って供給される状態の概略図を示す。図２に示すように、扱胴３によって扱き処理された処理物がグレンパン６に落下すると、揺動選別装置Ｂの揺動により、この処理物がグレンパン６の上部を後方に向って徐々に移動して、グレンパン６の終端部に設けた篩い部材１５の位置に供給される。この篩い部材１５の位置に供給された処理物の一部は、篩い部材１５に設けた凹部１５ｃからチャフシーブ７に向って落下する。この処理物が落下する位置に、回転ファン１４から選別風が供給されると、自重の重い穀粒はチャフシーブ７に向って落下し、自重の軽い処理物に含まれる藁屑は選別風に乗って後方に搬送される。
【００２４】
篩い部材１５の短冊状に形成した傾斜部１５ｂは、揺動選別装置Ｂの揺動により図２に示す矢印の方向に篩い部材１５の水平部１５ａの位置を支点として上下に揺動する。篩い部材１５の位置に供給された処理物がこの傾斜部１５ｂに当たると、傾斜部１５ｂに当たった処理物は斜め前方上方に向って跳ね上げられて、グレンパン６又は篩い部材１５に再び落下する。このように、篩い部材１５の傾斜部１５ｂによって、処理物の塊を効率的に解すことができ、処理物を上方に高く跳ね上げることができて、処理物を多く拡散することができると考えられる。
【００２５】
篩い部材１５の傾斜部１５ｂによって、拡散された処理物が再び篩い部材１５に供給され、篩い部材１５に設けた凹部１５ｃを通過すると、この処理物が落下する位置に、回転ファン１４から選別風が供給されて、自重の重い穀粒はチャフシーブ７に向って落下し、自重の軽い処理物に含まれる藁屑は選別風に乗って後方に搬送されることで、処理物に含まれる穀粒と藁屑を分離することができるように構成されている。
【００２６】
［発明の実施の第１別形態］
前述の［発明を実施するための最良の形態］においては、篩い部材１５を折り曲げ成形したバネ鋼板で構成した例に示したが、篩い部材１５の材料としては、弾性部材であればバネ鋼板に限らず、例えば、樹脂板やプラスチック板、硬質のゴム板等を採用してもよい。
【００２７】
前述の［発明を実施するための最良の形態］においては、板材によって篩い部材１５を構成した例を示したが、弾性部材であれば、板材に限らず、例えば、棒状の篩い部材１５を構成してもよい。
【００２８】
［発明の実施の第２別形態］
前述の［発明を実施するための最良の形態］及び［発明の実施の第１別形態］においては、コンバインに搭載した脱穀装置１に篩い部材１５を備えた例を示したが、コンバインに搭載する脱穀装置１に限らず、例えば、刈取部（図示せず）を備えていないハーベスタ（図示せず）に搭載する脱穀装置１においても同様に適用できる。
【図面の簡単な説明】
【００２９】
【図１】脱穀装置の縦断側面図
【図２】篩い部材の構造及び処理物の選別状態を示す縦断側面図
【図３】篩い部材の構造を示す横断平面図
【符号の説明】
【００３０】
１        脱穀装置
６        グレンパン
７        チャフシーブ
１４      回転ファン
１５      篩い部材
１５ｂ    傾斜部
Ａ        扱室
Ｂ        揺動選別装置
【図１】
2008043264.tif 000003
【図２】
2008043264.tif 000004
【図３】
2008043264.tif 000005